(57)【要約】【課題】  背面のみからケーブルに関する作業が実施でき、またレールとケーブルアームを取り付けた場合に容易にケーブル配線作業が可能な情報処理装置ラックを提供する。【解決手段】  複数の区画を有し、それぞれの区画に情報処理装置ないし機器を搭載するラック本体部と、区画ごとにそれぞれ設けられ、前記区画ごとに設けた一方の開口部が該ラック本体部の背面近傍に備えられ、もう一方の開口部は該ラック本体部の底面近傍に備えられるケーブルダクトとを含む情報処理装置ラック。【選択図】      図１
2015122407.tif 000002
【特許請求の範囲】
【請求項１】
複数の区画を有し、それぞれの区画に情報処理装置を搭載するラック本体部と、
前記区画ごとにそれぞれ設けられ、前記区画ごとに設けた一方の開口部が前記ラック本体部の背面近傍に備えられ、もう一方の開口部は前記ラック本体部の底面近傍に備えられるケーブルダクトと
を含む情報処理装置ラック。
【請求項２】
前記ケーブルダクトの前記ラック本体部の背面近傍に備えられた開口部は、リアドアを開放した時に作業者が前記情報処理装置に接続するケーブルの配線作業を行う際に支障がない向きに開口する形状である請求項１記載の情報処理装置ラック。
【請求項３】
前記ケーブルダクトは、前記ラック本体部の背面近傍の開口部からラック本体部の底面の開口部にかけて、一定の角度で傾斜している形状、もしくは一定の曲率の曲線状、もしくは直角に曲がるＬ字状である請求項１または２に記載の情報処理装置ラック。
【請求項４】
前記情報処理装置と前記ラック内側面の間に取り付けられ、前記情報処理装置を可動範囲内で移動可能とするレールと、
前記レールに取り付けられ、前記情報処理装置背面に接続するケーブルを束ね、前記レールによって前記情報処理装置が移動する際に、前記ケーブルを連動して移動させるケーブルアームと
をさらに含み、
前記ケーブルが前記ケーブルアームを経由し前記ラック本体部の背面近傍に備えられた前記ケーブルダクトの開口部に通される請求項１ないし３のいずれか１項に記載の情報処理装置ラック。
【発明の詳細な説明】
【技術分野】
【０００１】
本発明は、複数のユーザが利用する際にセキュリティが確保される情報処理装置ラックに関する。
【背景技術】
【０００２】
複数の情報処理装置を収容するラックにおいて、複数のユーザがそれぞれの情報処理装置（たとえば、サーバ）を専用で利用する目的などのため、各区画に収容されている情報処理装置に対し区画間のセキュリティの確保を必要とする場合がある。この種の情報処理装置ラック（以下、単にラックとも呼ぶ）は、仕切り板によって高さ方向に複数の区画に仕切られており、各区画にユーザ毎の情報処理装置が搭載され保管されている。このような情報処理装置ラックにおいて、情報処理装置に接続されるケーブル配線にもセキュリティが確保される。すなわち、このラックは、区画ごとに分けられたケーブルダクトを備える。
【０００３】
ケーブル配線にもセキュリティが確保されるこの種のラックの一例が特許文献１に記載されている。特許文献１に記載されたラックは、ラックの側面に、区画ごとに分けられラック底面に通じるケーブルダクトが備えられ、このケーブルダクトにケーブルを通すことにより、区画に搭載された情報処理装置は外部と接続する。
【０００４】
図４は、特許文献１に記載されたラックと同様の構成を有する、関連技術の情報処理装置ラックを示す斜視図である。図４に示すように、ケーブル５００を通すケーブルダクト３１０が、情報処理装置４００を搭載するラック（情報処理装置ラック）１００の側面に備えられる。ケーブル５００は、情報処理装置４００に接続する配線である。図５は、図４のＡ−Ａ´断面図である。図５に示すように、情報処理装置４００と接するラック内側面にレール６００が取り付けられる。これにより、情報処理装置４００は、レール６００に沿ってレールの可動範囲内に移動可能である。なお、図４における側面カバー８００は、図５では省略し、図５におけるリアドア２００は、図４では省略されている。
【先行技術文献】
【特許文献】
【０００５】
【特許文献１】特開２００２−１１１２４２号公報
【発明の概要】
【発明が解決しようとする課題】
【０００６】
図４および図５において、情報処理装置４００の配線端子は通常背面側に設けられ、作業者の保守作業も情報処理装置４００の背面から実施される。ケーブル５００の配線ルートは、図４に示す矢印の通り、情報処理装置４００の背面から情報処理装置４００の側面に沿ってケーブルを通し、ケーブルダクト３１０の開口部に入れるルートとなる。
【０００７】
しかし、ケーブルダクト３１０の開口部は、情報処理装置４００の背面からは奥まった位置にあり、ケーブルを通すことは困難である。さらに、ケーブルダクト３１０の開口部が、情報処理装置４００の背面から奥まった位置にあることで、図５に示すように、情報処理装置４００の側面においてレール６００がケーブル５００の配線ルートを阻害する。したがって、特許文献１に記載されたラックは、情報処理装置４００の背面からはケーブル配線作業は困難であるという問題点がある。また、配線を実施するにはケーブルダクト３１０が備えられるラック本体部１００の側面（側面カバー８００）を開放できることが必要という問題点もある。
【０００８】
本発明の目的の一例は、上述した問題点を解決できる情報処理装置ラックを提供することにある。
【課題を解決するための手段】
【０００９】
本発明の一形態における情報処理装置ラックは、複数の区画を有し、それぞれの区画に情報処理装置を搭載するラック本体部と、前記区画ごとにそれぞれ設けられ、前記区画ごとに設けた一方の開口部が前記ラック本体部の背面近傍に備えられ、もう一方の開口部は前記ラック本体部の底面近傍に備えられるケーブルダクトとを備える。
【発明の効果】
【００１０】
本発明によれば、情報処理装置の背面からのケーブル配線作業が容易という効果が得られる。
【図面の簡単な説明】
【００１１】
【図１】図１は、本発明の第１の実施形態における情報処理装置ラック１０００の構成を示す概略図である。
【図２】図２は、第１の実施の形態における情報処理装置４００をラック本体部１００内に搭載し、情報処理装置４００側のみケーブル５００を配線した一例の概略図である。
【図３】図３は、本発明の第１の実施の形態における変形例を示し、レール６００とケーブルアーム７００を有する情報処理装置ラック１２００でのケーブル配線の概要を示す概略図である。
【図４】図４は、関連技術における情報処理装置ラックでのケーブル配線の概要を示す概略図である。
【図５】図５は、図４のＡ−Ａ´断面図である。
【発明を実施するための形態】
【００１２】
次に、本発明の実施形態について図面を参照して詳細に説明する。
【００１３】
［第１の実施の形態］
図１は、本発明の第１の実施の形態における情報処理装置ラック１０００の構成を示す概略図である。図１を参照すると、情報処理装置ラック１０００は、ラック本体部１００と、リアドア２００と、ケーブルダクト３００と、を備える。ここで、ラック本体部１００は、その幅方向、奥行き方向、高さ方向を図１のとおりそれぞれｘ軸方向、ｙ軸方向、ｚ軸方向と定義する。図１において、情報処理装置ラック１０００は、ｙ軸方向に沿って、手前左側が背面、奥行き右側が正面を向いているものとする。
【００１４】
次に、第１の実施の形態における情報処理装置ラック１０００の構成について説明する。
【００１５】
ラック本体部１００は、高さ方向（ｚ軸方向）に複数の区画を有し、それぞれの区画に情報処理装置ないし機器を搭載する。ラック本体部１００は、所定の高さであらかじめ区画が区分けされていても、仕切り板によって区画の高さを任意に変更できてもよい。
【００１６】
リアドア２００は、ラック本体部１００の背面に区画ごとに開閉可能なように設けられる。ただし、図１では、最上部の区画のみリアドア２００を示している。リアドア２００の施錠および開閉機構の方式は適宜管理者が決定してよいが、セキュリティ管理を考慮して、施錠はあった方が望ましい。
【００１７】
図２は、情報処理装置４００をラック本体部１００内に搭載し、情報処理装置４００側のみケーブル５００を配線した一例の概略図である。なお、情報処理装置４００およびケーブル５００の視認性のため、ラック本体部１００のフレームの一部およびリアドア２００を省略する。また、図２においても情報処理装置ラック１０００は、ｙ軸方向に沿って、手前側が背面、奥側が正面を向いているものとする。
【００１８】
ケーブルダクト３００は、区画ごとにそれぞれ設けられる。ケーブルダクト３００の一方の開口部が、各区画内に配置され、ラック本体部１００の背面近傍に備えられる。もう一方（他方）の開口部は、ラック本体部１００の底面近傍に位置し、開口が底面側に向いて固定されている。
【００１９】
ラック本体部１００の各区画の背面近傍に備えられた開口部は、背面を向いて口が開いた形状をしているので、作業者はラック本体部１００の背面からケーブルダクト３００の開口部に容易にアクセスすることができる。また、ケーブルダクト３００は、ラック本体部１００の区画ごとの背面近傍の開口部からラック本体部１００の底面の開口部にかけて一定の角度で傾斜している。
【００２０】
ケーブル５００は、ラック本体部１００に搭載した情報処理装置４００に、一方の端部が接続される。ケーブル５００のもう一方の端部は、ラック本体部１００の区画ごとの背面近傍に備えられたケーブルダクト３００の開口部に通され、ラック本体部１００の底面に排出される。ラック本体部１００の底面に排出されたケーブル５００の端部は、電源コンセントやＬＡＮ（Ｌｏｃａｌ  Ａｒｅａ  Ｎｅｔｗｏｒｋ）ポートのような外部端子と接続される。
【００２１】
なお、ラック本体部１００の各区画の背面近傍に備えられた開口部は、区画ごとに仕切られ、セキュリティ性のための他の区画の開口部にケーブル５００を入れられない構造にすることが望ましい。また、ケーブルダクト３００のラック本体部１００の背面近傍に備えられた開口部は、リアドアを開放した時に作業者がケーブルに関する作業を行う際に支障がない向きに口が開いた形状であればよい。
【００２２】
図１および２ではケーブルダクトは背面から見て右側に備えられているが、背面から見て左側に、あるいは左右両側に備えられていてもよい。また、図１および図２ではケーブルダクトは区画の背面からラック本体部１００の底面に向かって傾斜した形状となっているが、前述の条件が満たされていれば、形状は一定の曲率の曲線状や直角に曲がるＬ字状であってもよい。また、ケーブルダクト３００のラック本体部１００の背面近傍に備えられる開口面の向きは、リアドアを開放した時に作業者がケーブルに関する作業を行う際に支障がなければ、どのような向きでもよい。
【００２３】
次に、本発明の第１の実施の形態の効果について説明する。
【００２４】
上述した本実施形態における情報処理装置ラック１０００は、情報処理装置４００の背面からケーブルダクトにケーブルを通すことが容易である。
【００２５】
その理由は、以下のような構成を含むからである。即ち、ケーブルダクト３００の開口部は、ラック本体部１００の側面ではなくラック本体部１００の背面近傍に備えられる。これにより、ラックの側面を開放することなく、情報処理装置４００の背面からケーブルダクトにケーブルを通すことが容易という効果が得られる。
【００２６】
［変形例］
また、変形例として、レールとケーブルアームを使用して情報処理装置を設置した場合の、情報処理装置ラックの背面側の構成について図面を参照して詳細に説明する。以下、本実施形態の説明が不明確にならない範囲で、前述の説明と重複する内容については説明を省略する。
【００２７】
図３は、変形例に係る情報処理装置ラック１２００の構成を示す概略図で、実質的に図１のラック本体部を仕切り板に平行に切断した断面図に相当するものである。なお、ラック本体部１１０の構成は第１の実施形態のラック本体部１００と同等であるものとする。
【００２８】
図３を参照すると、本変形例における情報処理装置ラック１２００は、第１の実施形態のそれと比べて、新たにレール６００とケーブルアーム７００を、ラック本体部１１０の区画毎に備える。
【００２９】
レール６００は、情報処理装置４００とラック本体部１１０内の左右両側面に取り付けられ、情報処理装置４００の各区画への挿抜をガイドする。すなわち、情報処理装置４００は、レール６００の長さ方向に沿って移動可能とする。
【００３０】
具体的に、レール６００は少なくとも２つのレール部材から構成され、一方のレール部材（第１のレール部材）は情報処理装置４００の側面に、もう一方のレール部材（第２のレール部材）はラック本体部内の側面に取り付けられる。情報処理装置４００を各区画に挿抜する場合、２つのレール部材は互いに嵌合しながら、情報処理装置４００は、ｙ軸方向に摺動する。
【００３１】
ケーブルアーム７００は、装置側アーム７０１とリアドア側アーム７０２とアーム連結部７０３と複数のケーブル保持部材７０４からなる。装置側アーム７０１とリアドア側アーム７０２は、アーム連結部７０３により折り畳み可能なように連結される。また、装置側アーム７０１およびリアドア側アーム７０２のそれぞれの長さ方向には複数のケーブル保持部材７０４が固定されている。ケーブル保持部材７０４は、情報処理装置４００の背面に接続するケーブル５００をケーブルアーム７００に沿って束ねる。ケーブル保持部材７０４はアーム連結部７０３にも設置されていてよい。装置側アーム７０１およびリアドア側アーム７０２の、アーム連結部７０３により連結されていない方のそれぞれの端部は、レール６００に固定される。すなわち、装置側アーム７０１の一端は、情報処理装置４００の側面の第１のレール部材に、リアドア側アーム７０２の一端はラック本体部１１０内の側面の第２のレール部材に取り付けられる。
【００３２】
レール６００に沿って情報処理装置４００を移動する時に、装置側アーム７０１は、第１のレール部材を介して情報処理装置４００と連動して移動し、ケーブル保持部材７０４に束ねられたケーブル５００も連動して移動する。この時、リアドア側アーム７０２と第２のレール部材との接続部は移動しないため、アーム連結部７０３を挟み装置側アーム７０１とラック側アーム７０２のなす角度は変化するが、ケーブル５００の配線ルートの長さは変化しない。このため、ケーブルアーム７００は、情報処理装置４００の移動の際にケーブル５００が引っ張られることを防止し、ケーブル５００の接続抜けを防止する。
【００３３】
次に、本発明の変形例の効果について説明する。
【００３４】
上述した変形例における情報処理装置ラック１２００も、ケーブル配線作業が容易である。即ち、第１にケーブルダクト３００の開口部はリアドア２００近傍に備えられ、情報処理装置４００側面でのケーブル５００の配線作業を必要としないからである。また、情報処理装置４００側面においてレール６００がケーブル５００の配線ルートを阻害しない。また、この変形例ではケーブルの接続抜け防止の効果も得られる。
【００３５】
以上、各実施の形態を参照して本発明を説明したが、本発明は上記実施の形態に限定されるものではない。本発明の構成や詳細には、本発明のスコープ内で当業者が理解しえる様々な変更をすることができる。
い。
【符号の説明】
【００３６】
１００、１１０    ラック本体部
２００    リアドア
３００、３１０    ケーブルダクト
４００    情報処理装置
５００    ケーブル
６００    レール
７００    ケーブルアーム
７０１    装置側アーム
７０２    リアドア側アーム
７０３    アーム連結部
７０４    ケーブル保持部材
８００    側面カバー
１０００、１２００    情報処理装置ラック
【図１】
2015122407.tif 000003
【図２】
2015122407.tif 000004
【図３】
2015122407.tif 000005
【図４】
2015122407.tif 000006
【図５】
2015122407.tif 000007